(57)【要約】【課題】ショートカットボタンに対応付けられているショートカットの内容を容易に知ることができるようにする。【解決手段】ショートカットボタン５１が操作されると、そのショートカットボタンに対応付けられているショートカットが実行される。ショートカットは、複数の機能のうち、原稿の画像を読み取らせる読取処理を含む特定の機能を、予め設定された特定の実行条件に従って実行させるように構成された機能である。ショートカットボタン５１には、対応する特定の機能を示すデフォルト画像５１ｂを含むショートカットアイコン５１が含まれる。ショートカットが実行されると、ショートカットアイコン５１が、ショートカット実行時に読み取られた原稿の画像の少なくとも一部を含む内容に更新される。【選択図】図２
2018174436.tif 000002
【特許請求の範囲】
【請求項１】
表示部と、
入力部と、
原稿の画像を読み取り可能な読取部と、
制御部と、
を備えた機能実行装置であって、
前記制御部は、
特定のショートカットが対応付けられたショートカットボタンを前記表示部に表示させるボタン表示処理、を実行し、
前記ショートカットは、複数の機能のうち、前記読取部に原稿の画像を読み取らせる読取処理を含む特定の機能を、予め設定された特定の実行条件に従って実行させるように構成された機能であり、
前記ショートカットボタンは、対応するショートカットにおける実行対象の前記特定の機能を示すデフォルト画像を含むショートカットアイコンを含んでおり、
前記制御部は、さらに、
前記ショートカットボタンに対して前記入力部を介して特定の実行操作が受け付けられた場合、前記ショートカットボタンに対応付けられている前記ショートカットを実行するショートカット処理と、
前記ショートカット処理により実行された前記ショートカットの前記ショートカットボタンに含まれる前記ショートカットアイコンを、対応する前記デフォルト画像の少なくとも一部、及び前記ショートカット処理により読み取られた原稿の画像の少なくとも一部である読取結果画像、を含む内容に更新する更新処理と、
を実行する機能実行装置。
【請求項２】
請求項１に記載の機能実行装置であって、
前記制御部は、
前記ショートカット処理により実行された前記ショートカットに含まれる前記読取処理によって読み取られた画像の全て又は一部を対象画像として、その対象画像を縮小することにより、前記読取処理により読み取られた画像よりもデータ量が少ない前記読取結果画像を生成する画像加工処理、
を実行し、
前記更新処理は、前記ショートカットアイコンを、前記画像加工処理により生成された前記読取結果画像を含む内容に更新するように構成されている、
機能実行装置。
【請求項３】
請求項２に記載の機能実行装置であって、
前記画像加工処理は、前記読取処理によって複数のページの画像が読み取られた場合、前記複数のページのうち特定されたいずれか１ページの画像を前記対象画像とするように構成されている、
機能実行装置。
【請求項４】
請求項３に記載の機能実行装置であって、
前記制御部は、
前記複数のページのうち前記対象画像とするページを特定する操作を前記入力部を介して受け付けるページ特定受付処理、
を実行し、
前記画像加工処理は、前記読取処理によって複数のページの画像が読み取られた場合、前記複数のページのうち前記ページ特定受付処理により特定されたページの画像を前記対象画像とするように構成されている、
機能実行装置。
【請求項５】
請求項１〜請求項４の何れか１項に記載の機能実行装置であって、
前記制御部は、
前記ショートカット処理が実行された場合にそのショートカット処理の結果に基づいて前記更新処理を実行するか否かを指定する更新有無指定操作を前記入力部を介して受け付ける更新有無受付処理、
を実行し、
前記ショートカット処理を実行した場合、前記更新有無受付処理により当該ショートカット処理の結果に基づいて前記更新処理を実行するよう指定されている場合に、前記更新処理を実行するように構成されている、
機能実行装置。
【請求項６】
請求項１〜請求項５のいずれか１項に記載の機能実行装置であって、
前記制御部は、
前記読取結果画像が含まれている前記ショートカットアイコンに対して前記入力部を介して特定の拡大操作が受け付けられた場合、前記ショートカットアイコンを拡大させた拡大画像を前記表示部に表示させるアイコン拡大処理、
を実行する、
機能実行装置。
【請求項７】
表示部と、
原稿の画像を読み取り可能な読取部と、
を備えた機能実行装置で用いられる機能実行方法であって、
特定のショートカットが対応付けられたショートカットボタンを前記表示部に表示させるボタン表示ステップを有し、
前記ショートカットは、複数の機能のうち、前記読取部に原稿の画像を読み取らせる読取処理を含む特定の機能を、予め設定された特定の実行条件に従って実行させるように構成された機能であり、
前記ショートカットボタンは、対応するショートカットにおける実行対象の前記特定の機能を示すデフォルト画像を含むショートカットアイコンを含んでおり、
さらに、
前記ショートカットボタンに対して特定の実行操作が受け付けられた場合、前記ショートカットボタンに対応付けられている前記ショートカットを実行するショートカット実行ステップと、
前記ショートカット実行ステップにより実行された前記ショートカットの前記ショートカットボタンに含まれる前記ショートカットアイコンを、対応する前記デフォルト画像の少なくとも一部、及び前記ショートカット実行ステップにより読み取られた原稿の画像の少なくとも一部である読取結果画像、を含む内容に更新する更新ステップと、
を有する機能実行方法。
【請求項８】
表示部と、
入力部と、
原稿の画像を読み取り可能な読取部と、
制御部と、
を備えた機能実行装置における前記制御部が実行可能なプログラムである機能実行プログラムであって、
前記制御部に、
特定のショートカットが対応付けられたショートカットボタンを前記表示部に表示させるボタン表示処理、
を実行させ、
前記ショートカットは、複数の機能のうち、前記読取部に原稿の画像を読み取らせる読取処理を含む特定の機能を、予め設定された特定の実行条件に従って実行させるように構成された機能であり、
前記ショートカットボタンは、対応するショートカットにおける実行対象の前記特定の機能を示すデフォルト画像を含むショートカットアイコンを含んでおり、
さらに、前記制御部に、
前記ショートカットボタンに対して前記入力部を介して特定の実行操作が受け付けられた場合、前記ショートカットボタンに対応付けられている前記ショートカットを実行するショートカット処理と、
前記ショートカット処理により実行された前記ショートカットの前記ショートカットボタンに含まれる前記ショートカットアイコンを、対応する前記デフォルト画像の少なくとも一部、及び前記ショートカット処理により読み取られた原稿の画像の少なくとも一部である読取結果画像、を含む内容に更新する更新処理と、
を実行させるための機能実行プログラム。
【発明の詳細な説明】
【技術分野】
【０００１】
本発明は、機能が対応付けられたボタンを表示させてそのボタンが選択された場合に対応する機能を実行する技術に関する。
【背景技術】
【０００２】
特定の機能を特定の実行条件で実行させるショートカットをショートカットボタンに対応付けておき、そのショートカットボタンが選択された場合に対応するショートカットを実行させるように構成された機能実行装置が知られている（例えば、特許文献１参照。）。
【０００３】
ショートカットボタンにどのような機能が対応付けられているのかをユーザに知らせるための技術として、一般に、ショートカットボタンに、対応する機能を示す画像を付加する技術が知られている。具体的に、対応する機能が例えばコピー機能であれば、コピー機能を示す特定の画像を付加する、という技術である。
【先行技術文献】
【特許文献】
【０００４】
【特許文献１】特開２００９−１０４３４０号公報
【発明の概要】
【発明が解決しようとする課題】
【０００５】
しかし、機能を示す画像は、あくまでも、どのような機能のショートカットであるかを示すにすぎない。そのため、ユーザは、ショートカットボタンを見ても、どの機能のショートカットであるかは認識できるものの、その機能が具体的にどのような実行条件で実行されるように設定されているのかについては、ショートカットボタンを見ただけではわからない。
【０００６】
そのため、ユーザは、通常、どのショートカットボタンにどのような実行条件のショートカットが対応付けられているのか、換言すれば自身が実行させたいショートカットがどのショートカットボタンに対応付けられているのかを記憶しておく必要があり、ユーザにとって使い勝手が良いとはいえない。また、記憶したとしても、使用しない状態が長期間続くと、どのショートカットが対応付けられているのかを忘れてしまう可能性がある。
【０００７】
本発明は上記課題に鑑みなされたものであり、ショートカットボタンに対応付けられているショートカットの内容を容易に知ることができるようにすることを目的とする。
【課題を解決するための手段】
【０００８】
本発明の機能実行装置は、表示部と、入力部と、原稿の画像を読み取り可能な読取部と、制御部とを備える。制御部は、ボタン表示処理を実行する。ボタン表示処理は、特定のショートカットが対応付けられたショートカットボタンを表示部に表示させる処理である。
【０００９】
ショートカットは、複数の機能のうち、読取部に原稿の画像を読み取らせる読取処理を含む特定の機能を、予め設定された特定の実行条件に従って実行させるように構成された機能である。ショートカットボタンは、ショートカットアイコンを含む。ショートカットアイコンは、対応するショートカットにおける実行対象の特定の機能を示すデフォルト画像を含む。
【００１０】
制御部は、さらに、ショートカット処理と、更新処理とを実行する。ショートカット処理は、ショートカットボタンに対して入力部を介して特定の実行操作が受け付けられた場合、ショートカットボタンに対応付けられているショートカットを実行する処理である。更新処理は、ショートカット処理により実行されたショートカットのショートカットボタンに含まれるショートカットアイコンを、対応するデフォルト画像の少なくとも一部、及びショートカット処理により読み取られた原稿の画像の少なくとも一部である読取結果画像、を含む内容に更新する処理である。
【００１１】
このような構成によれば、読取処理を含むショートカットが実行された場合、実際に読み取られた画像の少なくとも一部が、ショーカットボタン内のショートカットアイコンに含まれる。そのため、ユーザは、ショートカットを一度実行させた後は、ショートカットボタンに表示されているショートカットアイコンを見ることで、そのショートカットボタンがどの機能のショートカットであるのかを知ることができるのに加えて、具体的にどのような実行条件が登録されたショートカットであるのかについても容易に知ることが可能となる。
【図面の簡単な説明】
【００１２】
【図１】実施形態の画像処理装置の構成を示すブロック図である。
【図２】ショートカット実行時の画面遷移例を示す説明図である。
【図３】サムネイル保存方法を設定する際の画面遷移例を示す説明図である。
【図４】サムネイルを含むショートカットボタンに対して、異なる２種類の指示操作が行われた場合の各々の画面遷移例を示す説明図である。
【図５】ショートカット登録処理を示すフローチャートである。
【図６】図５におけるＳ１５０の更新タイミング設定処理を示すフローチャートである。
【図７】ショートカット画面処理を示すフローチャートである。
【図８】図７におけるＳ４４０の登録機能制御処理を示すフローチャートの一部である。
【図９】図７におけるＳ４４０の登録機能制御処理を示すフローチャートの一部（図８の続き）である。
【発明を実施するための形態】
【００１３】
以下、本発明の実施形態について、図面を参照しながら説明する。
［１．実施形態］
（１−１）画像処理装置の構成
図１に示す実施形態の画像処理装置１０は、原稿の画像を読み取ってその読み取った画像の画像データを生成するスキャン機能、記録紙への画像の印刷を行う印刷機能、スキャン機能により読み取った画像を印刷機能により記録紙に印刷するコピー機能、ファクシミリデータの送受信を行うファクス機能などの、複数の機能を備えている。
【００１４】
画像処理装置１０は、図１に示すように、制御部１１と、記憶部１２と、表示部１３と、入力部１４と、読取部１５と、印刷部１６と、メディアインタフェース部１７と、第１通信部１８と、第２通信部１９とを備え、これらがバス２０を介して相互に接続されている。なお、メディアインタフェース部のことを、以下「メディアＩ／Ｆ」と略称する。
【００１５】
制御部１１はＣＰＵを有する。記憶部１２は、例えばＲＯＭ、ＲＡＭ、ＮＶＲＡＭ、フラッシュメモリなどの半導体メモリを有する。即ち、画像処理装置１０は、ＣＰＵ及び半導体メモリを含むマイクロコンピュータを備えている。
【００１６】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって実現することに限るものではなく、その一部又は全部について、一つあるいは複数のハードウェアを用いて実現してもよい。
【００１７】
記憶部１２には、各種データやプログラム等が記憶されている。記憶部１２に記憶されているプログラムには、後述する図５のショートカット登録処理のプログラム、及び後述する図７のショートカット画面処理のプログラムが含まれる。
【００１８】
表示部１３は、例えば液晶ディスプレイや有機ＥＬディスプレイなどの、画像を表示可能な表示デバイスを有する。入力部１４は、各種入力操作を受け付けるための入力用デバイスを有する。入力部１４が有する入力用デバイスには、タッチパネル１４ａが含まれる。タッチパネル１４ａは、表示部１３の表示デバイスにおける画像が表示される画像表示領域に配置される。
【００１９】
タッチパネル１４ａは、表示部１３の画像表示領域に対する、指示体による接触又は近接による指示操作を検出可能である。即ち、タッチパネル１４ａは、表示部１３の画像表示領域に対して指示体による指示操作が行われている場合に、その指示操作が行われている位置である指示位置を示す位置情報を出力可能に構成されている。本実施形態のタッチパネル１４ａは、指示体により指示操作が行われている間、位置情報を連続的又は周期的に出力するよう構成されている。
【００２０】
なお、タッチパネル１４ａは、指示操作として接触のみ検出可能な構成であってもよいし、近接のみ検出可能な構成であってもよいし、接触及び近接の両方を検出可能な構成であってもよい。指示操作を行うことが可能な指示体の具体的態様は種々考えられ、例えば、指先であってもよいし、スタイラスペンなどの特定の指示用デバイスであってもよい。
【００２１】
制御部１１は、タッチパネル１４ａから出力される位置情報を取得し、その取得した位置情報に基づいて、指示体の指示操作の有無、指示操作が行われている場合における指示位置、指示操作が行われている場合における指示体による少なくとも一種類の特定の操作を検出することができる。制御部１１が検出可能な特定の操作としては、少なくとも、指示体により指示操作が行われた後、同じ位置で指示体が離れる操作であるタップ操作がある。
【００２２】
読取部１５は、イメージセンサを備え、原稿の画像を読み取り、読み取った画像の画像データを生成する。印刷部１６は、インクジェット技術や電子写真技術の印刷機構を有し、シート状の記録紙に、画像データに基づく画像を印刷することが可能である。
【００２３】
メディアＩ／Ｆ１７は、例えばＵＳＢフラッシュメモリなどの、各種の記憶メディアが装着されるインタフェース部であり、装着された記憶メディアに対するデータの書き込み及び読み出しを制御する。
【００２４】
第１通信部１８は、画像処理装置１０をデータ通信用のネットワークに接続するための通信インタフェースである。第１通信部１８は、例えば、有線ＬＡＮ、無線ＬＡＮ、インターネットなどの各種ネットワークの少なくとも１つに接続可能であってもよい。画像処理装置１０は、第１通信部１８を介して、パソコンやスマートフォン、タブレット端末などの各種情報処理装置と有線又は無線にてデータ通信可能であってもよい。また、画像処理装置１０は、第１通信部１８を介してインターネットに接続し、インターネットを介して、他の各種サーバや各種情報処理装置などとデータ通信可能であってもよい。
【００２５】
第２通信部１９は、通信回線１５０を通じて外部機器と通信を行うためのインタフェース部である。第２通信部１９に接続される通信回線１５０は、本実施形態では例えば公衆電話網である。ファクス機能におけるファクシミリデータの送受信は、基本的には、第２通信部１９を介して行われる。
【００２６】
（１−２）ショートカットの説明
画像処理装置１０に電源が投入されて制御部１１が起動すると、制御部１１は、表示部１３に待機画面を表示させる。待機画面は、ユーザが画像処理装置１０を利用して各種機能を実行させる際の起点となる画面である。待機画面に対して、ショートカット画面を表示させるための特定の操作が行われると、表示部１３には、図２の左上に例示するようなショートカット画面３０が表示される。
【００２７】
ショートカット画面３０は、いわゆるタブ形式の画面であり、複数のタブ３１〜３３のうち選択状態にされている何れか１つのタブに対応したタブ画面を含む。複数のタブ３１〜３３にはそれぞれ個別にタブ画面が対応付けられており、ショートカット画面３０には、選択状態にされているタブに対応したタブ画面が表示される。なお、本実施形態のショートカット画面３０は、３つのタブ３１〜３３を有する。
【００２８】
各タブに対応付けられている各タブ画面は、いずれも、複数のボタンが配列された画面である。本実施形態では、タブ毎に６個のボタンが表示される。ショートカット画面３０に表示されるボタンは、基本的には、ショートカットボタン及び未登録ボタンの二種類である。
【００２９】
ショートカットボタンは、登録されているショートカットが一対一で対応付けられているボタンである。ショートカットは、画像処理装置１０が備える複数の機能のうち特定の機能を、予め設定された特定の実行条件に従って実行させるように構成された機能である。ユーザがよく使う機能をショートカットとして登録しておけば、以後、ユーザは、ショートカットボタンに対して特定の実行操作を行うことで、対応するショートカットの機能及び実行条件を呼び出してそのショートカットを容易に実行させることができる。なお、ショートカットを実行させるための、ショートカットボタンに対する特定の実行操作は、本実施形態ではタップ操作である。
【００３０】
ショートカットとして登録可能な実行条件には、登録対象の機能の実行時に用いられる各種設定項目の設定値がある。例えばコピー機能のショートカットを登録する際には、ユーザは、例えばコピー画質、用紙タイプ、用紙サイズ、用紙トレイ選択、拡大／縮小、コピー濃度、両面コピー、などの各種設定項目の設定値をそれぞれ好みの設定値に設定して登録できる。また例えば、ファクス機能のショートカットを登録する際には、ユーザは、例えば送信先、ファクス画質、両面ファクス、原稿濃度、原稿サイズ、カラー設定、などの各種設定項目の設定値をそれぞれ好みの設定値に設定して登録できる。
【００３１】
未登録ボタンは、ショートカットがまだ対応付けられていないボタンである。ユーザは、未登録ボタンをタップして、ショートカットを新規登録するための特定の操作を行うことで、ショートカットを新規登録できる。ショートカットが新規登録されると、対応する未登録ボタンは、その新規登録されたショートカットが対応付けられたショートカットボタンとなる。
【００３２】
図２に例示するショートカット画面３０は、３つのショートカットボタン４１、４２、４３と、３つの未登録ボタン４４、４５、４６とを含む。各ショートカットボタン４１、４２、４３には、それぞれ、ユーザにより登録された特定のショートカットが対応付けら
れている。
【００３３】
ショートカットボタンには、ショートカット名と、ショートカットアイコンとが表示される。図２の左上のショートカット画面３０において、第１ショートカットボタン４１には、「ショートカット０１」というショートカット名とショートカットアイコン５１とが表示されている。また、第２ショートカットボタン４２には、「ショートカット０２」というショートカット名とショートカットアイコン５２とが表示されている。第３ショートカットボタン４３には、「ショートカット０３」というショートカット名とショートカットアイコン５３とが表示されている。ショートカット名は、ユーザが任意に設定することができる。
【００３４】
ショートカットアイコンには、デフォルト画像が含まれる。デフォルト画像の内容は、ショートカットボタンにどのような特定の機能のショートカットが対応付けられているかによって一律に定まる。即ち、ショートカットとして登録可能な複数の機能毎に、デフォルト画像が予め決められている。
【００３５】
よって、ショートカットが新規に登録されると、そのショートカットのショートカットボタンには、ショートカットアイコンとして、デフォルト画像を含むアイコンが表示される。
【００３６】
図２の左上のショートカット画面３０において、第１ショートカットボタン４１には、コピー機能のショートカットが対応付けられている。そのため、第１ショートカットボタン４１のショートカットアイコン５１には、コピー機能に対応したデフォルト画像５１ｂが含まれる。また、第２ショートカットボタン４２にも、コピー機能のショートカットが対応付けられている。そのため、第２ショートカットボタン４２のショートカットアイコン５２にも、コピー機能に対応したデフォルト画像５２ｂが含まれる。第３ショートカットボタン４３には、ファクス機能のショートカットが対応付けられている。そのため、第３ショートカットボタン４３のショートカットアイコン５３には、ファクス機能に対応したデフォルト画像５３ｂが含まれる。
【００３７】
ショートカットアイコンに含まれる画像は、基本的には、デフォルト画像だけである。しかし、本実施形態では、ユーザは、読取処理を含む特定の機能のショートカットのショートカットボタンに対しては、ショートカット実行時に実際に読み取られた画像の少なくとも一部のサムネイルを含むショートカットアイコンを表示させることができる。
【００３８】
読取処理とは、読取部１５に原稿の画像を読み取らせる処理である。本実施形態では、少なくとも、スキャン機能、コピー機能及びファクス機能が、読取処理を含む機能に該当する。
【００３９】
図２の左上に例示するショートカット画面３０において、例えば第１ショートカットボタン４１がタップ操作されると、第１ショートカットボタン４１に対応付けられているショートカットが開始され、図２の右上に例示する機能確認画面６０が表示される。なお、図２及び後述する他の図面において、「ＳＣ」とは、「ショートカット」を意味する。
【００４０】
機能確認画面６０には、ショートカットの実行条件、即ちユーザにより登録時に設定された各種設定項目の設定値が表示される。ユーザは、機能確認画面６０において、必要に応じて設定値を変更することができる。
【００４１】
また、機能確認画面６０には、ショートカットアイコン５１が拡大された画像である機能イメージ画像６３が表示される。なお、図２の例では、後述するサムネイル保存設定が
「保存する」に設定されていて且つ後述する更新タイミング設定が「指定時のみ更新」に設定されている。そのため、機能確認画面６０には、保存確認メッセージ６４及び保存指定チェックボックス６５が表示される。
【００４２】
保存確認メッセージ６４は、今回のショートカットの実行によって読み取られる画像のサムネイルをショートカットアイコンに表示させるか否かをユーザに指定させるためのメッセージである。ユーザは、保存指定チェックボックス６５に対して任意にチェックマークを入れることができる。
【００４３】
また、機能確認画面６０には、カラーの画像データを生成させるためのカラースタートボタン６１、およびモノクロの画像データを生成させるためのモノクロスタートボタン６２が表示される。ユーザにより何れかのスタートボタンがタップ操作されると、読取処理を含むショートカットが実行される。ショートカットの実行中は、不図示の実行中画面が表示される。
【００４４】
ここで、図２の例では、後述する指定画像設定が「実行後に決定」に設定されている。そのため、保存指定チェックボックス６５にチェックマークが入れられた状態でショートカットが実行され、そのショートカットが完了すると、表示部１３には、図２の左下に例示するサムネイル選択画面７０が表示される。保存指定チェックボックス６５にチェックマークが入れられた状態でショートカットが実行された場合は、ショートカットの完了後は、再び図２の左上に示すショートカット画面３０に戻る。
【００４５】
サムネイル選択画面７０は、今回実行されたショートカットによって読み取られた複数ページの画像の中から、ショートカットアイコンにサムネイルとして表示させる画像をユーザに選択させるための画面である。
【００４６】
図２の左下に例示するサムネイル選択画面７０には、例えば、同時に最大で４ページ分の画像を表示させることができる。読み取られたページ数が５ページ以上である場合は、例えば左右方向のフリック操作を行うことで、別のページの画像を表示させることができる。
【００４７】
ユーザは、サムネイル選択画面７０の中から、サムネイルとして表示させたいページの画像を、例えばタップ操作することで、選択することができる。いずれかのページが選択された状態でＯＫボタン７２がタップ操作されると、選択されたページの画像に対して特定の画像加工処理が行われる。
【００４８】
画像加工処理は、選択されたページの画像を、ショートカットアイコン内に収めるのに適した画像に加工する処理である。本実施形態では、画像加工処理として、選択された画像の大きさ及びデータ量を低減させる縮小処理が行われる。縮小処理により、選択された画像のサイズは小さくなり、且つその画像のデータ量も低減される。
【００４９】
縮小処理を含む画像加工処理が行われると、その画像加工処理により生成された画像であるサムネイルが、当該ショートカットに対応したサムネイルとして記憶部１２に保存される。そして、再びショートカット画面３０が表示された場合、図２の右下に例示するように、第１ショートカットボタン４１のショートカットアイコン５１は、サムネイル５１ａ及びデフォルト画像５１ｂを含む画像に更新される。なお、サムネイル及びデフォルト画像を含むショートカットアイコンを、以下、「混合ＳＣアイコン」とも称する。
【００５０】
混合ＳＣアイコン５１においては、デフォルト画像５１ｂの大きさは、サムネイルを含まないショートカットアイコン５１のデフォルト画像５１ｂよりも縮小される。つまり、
混合ＳＣアイコン５１においては、デフォルト画像５１ｂよりもサムネイル５１ａの方が相対的に大きいサイズで表示される。
【００５１】
なお、読み取り対象のページ数が１ページのみである場合は、サムネイル選択画面７０の表示を省略して、読み取られた１ページの画像に基づいてサムネイルを生成するようにしてもよい。
【００５２】
ここで、読取処理を伴うショートカットの実行時にサムネイルを生成するか否か、及びどのページの画像のサムネイルを生成するか、については、ショートカット毎に個別に、ユーザが予め任意に設定することができる。
【００５３】
例えば、ショートカット画面３０において、特定のショートカットボタンが長押しされると、図３の左上に例示する設定メニュー画面８０が表示される。設定メニュー画面８０は、長押しされたショートカットボタンに対応付けられているショートカットに対する各種の編集を行う際の起点となる画面である。設定メニュー画面８０には、サムネイル保存設定ボタン８１、名称変更ボタン８２、設定値変更ボタン８３などの各種のボタンが表示される。
【００５４】
このうちサムネイル保存設定ボタン８１がタップ操作されると、ショートカット実行時にサムネイルを保存してショートカットアイコンを更新する機能（以下、「サムネイル更新機能」と称する）を有効又は無効に設定させるための不図示の設定画面が表示される。この設定画面においてサムネイル更新機能が無効に設定されると、サムネイル保存設定の設定値が「保存しない」に設定される。一方、設定画面においてサムネイル更新機能が有効に設定されると、サムネイル保存設定の設定値が「保存する」に設定される。
【００５５】
サムネイル更新機能が有効に設定された場合は、図３の右上に例示する保存方法メニュー画面９０が表示される。保存方法メニュー画面９０には、ページ設定ボタン９１と、タイミング設定ボタン９２とが表示される。
【００５６】
ページ設定ボタン９１がタップ操作されると、図３の左下に例示する保存ページ設定画面１００が表示され、この中から、どのページの画像をサムネイルとして保存するかを指定することができる。具体的に、１ページ目指定ボタン１０１がタップ操作されると、保存ページ設定値として「１ページ目指定」が設定される。「１ページ目指定」が設定されると、サムネイルが保存される際は、原稿の画像のうち１ページ目の画像がサムネイルとして保存されることになる。
【００５７】
また、任意ページ指定ボタン１０２がタップ操作されると、ユーザにページを指定させるための画面が表示される。ユーザは、その画面を介して、サムネイルとして保存させたいページを任意に指定することができる。そして、ページが指定されると、保存ページ設定値として「任意ページ指定」が設定される。「任意ページ指定」が設定されると、サムネイルが保存される際は、ユーザにより指定されたページの画像がサムネイルとして保存されることになる。
【００５８】
また、最終ページ指定ボタン１０３がタップ操作されると、保存ページ設定値として「最終ページ指定」が設定される。「最終ページ指定」が設定されると、サムネイルが保存される際は、原稿の画像のうち最終ページの画像がサムネイルとして保存されることになる。
【００５９】
また、実行後決定ボタン１０４がタップ操作されると、保存ページ設定値として「実行後に決定」が設定される。「実行後に決定」が設定されると、サムネイルが保存される際
は、図２に例示したように、ショートカットの終了後にサムネイル選択画面７０が表示される。そのため、ユーザは、ショートカット終了後に、サムネイルにしたい画像を決定することができる。
【００６０】
保存方法メニュー画面９０において、タイミング設定ボタン９２がタップ操作されると、図３の右下に例示する更新タイミング設定画面１１０が表示され、この中から、どのタイミングでサムネイルの保存及びショートカットアイコンの更新を実行させるかを指定することができる。
【００６１】
具体的に、毎回更新ボタン１１１がタップ操作されると、更新タイミング設定値として「毎回更新」が設定される。「毎回更新」が設定されると、ショートカットが実行される度に、サムネイルの保存及びショートカットアイコンの更新が実行されることになる。
【００６２】
また、次回１回更新ボタン１１２がタップ操作されると、更新タイミング設定値として「次回１回更新」が設定される。「次回１回更新」が設定されると、次にショートカットが実行されたときの１回に限り、サムネイルの保存及びショートカットアイコンの更新が実行されることになる。
【００６３】
また、指定時更新ボタン１１３がタップ操作されると、更新タイミング設定値として「指定時のみ更新」が設定される。「指定時のみ更新」が設定されると、図２に例示したように、ショートカット実行前の機能確認画面６０に、保存確認メッセージ６４及び保存指定チェックボックス６５が表示される。そのため、ユーザは、ショートカット実行毎に、サムネイルを保存させるかどうかを任意に決定することができる。
【００６４】
ショートカット画面３０の別の例を、図４に示す。図４のショートカット画面３０は、図２の右下のショートカット画面３０と比べて、第２ショートカットボタン４２及び第３ショートカットボタン４３にも混合ＳＣアイコンが表示されている点が異なる。
【００６５】
第２ショートカットボタン４２の混合ＳＣアイコン５２は、コピー機能に対応したデフォルト画像５２ｂと、当該ショートカットの実行時に実際に読み取られた画像から生成されたサムネイル５２ａとを含む。第３ショートカットボタン４３の混合ＳＣアイコン５３は、ファクス機能に対応したデフォルト画像５３ｂと、当該ショートカットの実行時に実際に読み取られた画像から生成されたサムネイル５３ａとを含む。
【００６６】
混合ＳＣアイコンが表示されているショートカットボタンがタップ操作されると、機能確認画面６０が表示される。その際、機能イメージ画像６３は、ＳＣ混合アイコンが拡大表示された画像となる。
【００６７】
また、混合ＳＣアイコンが表示されているショートカットボタンにおいて、混合ＳＣアイコンが長押しされると、拡大表示欄５７がポップアップ表示され、その拡大表示欄５７の中に、長押しされた混合ＳＣアイコンが拡大された画像である拡大ショートカットアイコン５８が表示される。
【００６８】
（１−３）ショートカット登録処理
次に、ショートカット画面３０においてショートカットが新規に登録される際に実行されるショートカット登録処理について、図５を用いて説明する。制御部１１は、ショートカット画面３０において未登録ボタンがタップ操作されると、図５のショートカット登録処理を開始する。
【００６９】
制御部１１は、図５のショートカット登録処理を開始すると、Ｓ１１０で、ユーザによ
る、登録対象機能の選択操作を受け付ける。具体的に、登録可能な複数の機能を表示させ、その中からユーザに登録対象機能を選択させる。
【００７０】
ユーザにより登録対象機能が選択されると、Ｓ１２０で、ユーザによる、実行条件の設定を受け付ける。具体的に、登録対象機能の実行時に用いられる各種設定項目を表示させ、設定項目毎に設定値の設定操作を受け付ける。
【００７１】
ユーザによる実行条件の設定が終了すると、Ｓ１３０で、ユーザによる、サムネイル保存の設定を受け付ける。具体的に、前述のサムネイル更新機能の設定画面を表示させ、サムネイル更新機能の有効又は無効の選択操作を受け付ける。サムネイル更新機能の有効が選択された場合は、サムネイル保存設定の設定値を「保存する」に設定する。サムネイル更新機能の無効が選択された場合は、サムネイル保存設定の設定値を「保存しない」に設定する。
【００７２】
Ｓ１４０では、Ｓ１３０によるサムネイル保存設定の設定値を判断する。サムネイル保存設定の設定値が「保存しない」に設定されている場合は、Ｓ１７０に進む。Ｓ１７０では、ショートカットアイコンとして、登録対象機能のデフォルト画像を設定する。Ｓ１７０の処理後はＳ１８０に進む。
【００７３】
Ｓ１４０で、サムネイル保存設定の設定値が「保存する」に設定されている場合は、Ｓ１５０の更新タイミング設定処理を実行する。Ｓ１５０の更新タイミング設定処理の詳細は図６に示す通りである。
【００７４】
更新タイミング設定処理に進むと、図６に示すように、Ｓ２１０で、ユーザによる、サムネイルの更新タイミングの選択操作を受け付ける。具体的に、例えば図３に示した更新タイミング設定画面１１０を表示させて、ユーザに更新タイミングを選択させる。
【００７５】
Ｓ２２０では、Ｓ２１０においてどの更新タイミングが選択されたか判断する。更新タイミング設定画面１１０において毎回更新ボタン１１１が選択された場合は、Ｓ２３０で、ショートカット実行時に毎回サムネイルを保存、更新するように設定する。具体的には、更新タイミング設定値として「毎回更新」を設定する。
【００７６】
更新タイミング設定画面１１０において次回１回更新ボタン１１２が選択された場合は、Ｓ２４０で、次回ショートカットが実行されたときの１回に限りサムネイルを保存、更新するように設定する。具体的には、更新タイミング設定値として「次回１回更新」を設定する。そして、Ｓ２５０で、次回実行時保存フラグをセットして、Ｓ２７０に進む。
【００７７】
更新タイミング設定画面１１０において指定時更新ボタン１１３が選択された場合は、Ｓ２６０で、ユーザにより指定されたときのみサムネイルを保存、更新するように設定する。具体的に、更新タイミング設定値として「指定時のみ更新」を設定する。
【００７８】
Ｓ２７０では、ユーザによる、指定画像の選択操作を受け付ける。具体的に、例えば図３に示した保存ページ設定画面１００を表示させて、ユーザに、サムネイルとして保存すべきページを選択させる。
【００７９】
Ｓ２８０では、Ｓ２７０においてどのページが選択されたか判断する。保存ページ設定画面１００において１ページ目指定ボタン１０１が選択された場合は、Ｓ２９０で、サムネイルとする画像として１ページ目の画像を保存するように設定する。具体的には、保存ページ設定値として「１ページ目指定」を設定する。
【００８０】
保存ページ設定画面１００において任意ページ指定ボタン１０２が選択された場合は、Ｓ３００で、サムネイルとする画像のページの数値入力を受け付ける。Ｓ３１０では、サムネイルとする画像として、ユーザにより入力された数値のページの画像を保存するように設定する。具体的には、保存ページ設定値として「任意ページ指定」を設定する。
【００８１】
保存ページ設定画面１００において最終ページ指定ボタン１０３が選択された場合は、Ｓ３２０で、サムネイルとする画像として最終ページの画像を保存するように設定する。具体的には、保存ページ設定値として「最終ページ指定」を設定する。
【００８２】
保存ページ設定画面１００において実行後決定ボタン１０４が選択された場合は、Ｓ３３０で、ショートカットの処理完了後に読み取られた各ページの画像をプレビュー表示させてユーザに選択させるように設定する。具体的には、保存ページ設定値として「実行後に決定」を設定する。
【００８３】
図５に戻って説明を続ける。Ｓ１５０の更新タイミング設定処理の後は、Ｓ１６０で、ショートカットアイコンとして、登録対象機能のデフォルト画像を仮設定する。つまり、実際にショートカットが実行されてサムネイルが保存されるまでは、デフォルト画像のみをショートカットアイコンとして表示させるように設定する。
【００８４】
Ｓ１８０では、ユーザによる、ショートカット名の入力操作を受け付ける。ショートカット名が入力されると、Ｓ１９０で、ショートカットの登録を完了させる。これにより、未登録ボタンにショートカットが対応付けられ、その未登録ボタンがショートカットボタンに切り替わる。そして、そのショートカットボタンには、Ｓ１８０で入力されたショートカット名と、Ｓ１６０で仮設定されたショートカットアイコンが表示される。
【００８５】
（１−４）ショートカット画面処理
次に、ショートカット画面処理について、図７を用いて説明する。制御部１１は、ショートカット画面３０を表示させるための特定の操作が行われると、図７のショートカット画面処理を開始する。
【００８６】
制御部１１は、図７のショートカット画面処理を開始すると、Ｓ４１０で、表示部１３にショートカット画面３０を表示させる。Ｓ４２０では、ユーザによる、ショートカットボタンに対するタップ操作を受け付ける。何れかのショートカットボタンがタップ操作されたら、Ｓ４３０で、そのタップ操作が短押しであったか長押しであったかを判断する。なお、短押しとは、例えば、指示体による指示操作の継続時間が規定時間未満のタップ操作であり、長押しとは、例えば、指示体による指示操作の継続時間が規定時間以上のタップ操作である。
【００８７】
ショートカットボタンが長押しされた場合は、Ｓ４５０に進む。Ｓ４５０では、ショートカットボタンにおける、指示体がタップ操作された位置を判断する。指示体がタップ操作された位置が、ショートカットボタン内に表示されているショートカットアイコンであった場合は、Ｓ４７０で、ショートカットアイコンの拡大処理を実行する。具体的に、図４に例示したように、拡大ショートカットアイコン５８を表示させる。そして、指示体がタッチパネル１４ａから離間した後に一定時間経過したら、拡大ショートカットアイコン５８を消去して、Ｓ４７０のショートカットアイコン拡大処理を終了する。
【００８８】
指示体がタップ操作された位置が、ショートカットボタン内におけるショートカットアイコン以外の領域であった場合は、Ｓ４６０で、ショートカット編集処理を実行する。具体的に、図３に示した設定メニュー画面８０を表示させて、対応するショートカットに関する各種編集操作を受け付ける。なお、Ｓ４７０のショートカットアイコン拡大処理は、
処理対象を混合ＳＣアイコンのみとして、サムネイルを含まないデフォルト画像のみのショートカットアイコンは処理対象外としてもよい。
【００８９】
Ｓ４３０で、ショートカットボタンが短押しされた場合は、Ｓ４４０の登録機能制御処理を実行する。Ｓ４４０の登録機能制御処理の詳細は、図８に示す通りである。登録機能制御処理に進むと、図８に示すように、Ｓ５１０で、図２及び図４に例示した機能確認画面６０を表示させる。
【００９０】
Ｓ５２０では、現在設定されているサムネイル保存設定の設定値を判断する。サムネイル保存設定の設定値が「保存しない」に設定されている場合は、Ｓ６１０で、機能開始の捜査を受け付ける。具体的に、カラースタートボタン６１又はモノクロスタートボタン６２のタップ操作を受け付ける。何れかのスタートボタンがタップ操作された場合は、Ｓ６２０で、今回タップ操作されたショートカットボタンに対応したショートカットの機能を実行する。ショートカットの機能が完了すると、Ｓ６３０に進む。
【００９１】
Ｓ５２０で、サムネイル保存設定の設定値が「保存する」に設定されている場合は、Ｓ５３０に進む。Ｓ５３０では、現在設定されている更新タイミング設定値を判断する。更新タイミング設定値が「毎回更新」に設定されている場合は、Ｓ５４０で、今回のショートカットによる画像の読み取り結果をサムネイル生成用に保存するよう設定し、Ｓ６１０に進む。
【００９２】
更新タイミング設定値が「次回１回更新」に設定されていて、且つ次回実行時保存フラグがセットされている場合は、Ｓ５５０に進む。Ｓ５５０では、今回のショートカットによる画像の読み取り結果をサムネイル生成用に保存するよう設定する。そして、Ｓ５６０で、次回実行時保存フラグをクリアして、Ｓ６１０に進む。
【００９３】
更新タイミング設定値が「指定時のみ更新」に設定されている場合は、Ｓ５７０で、図２に例示したように、保存確認メッセージ６４を表示させると共に保存指定チェックボックス６５を表示させる。Ｓ５８０では、保存指定チェックボックス６５に対する入力操作を受け付ける。
【００９４】
Ｓ５９０では、保存指定チェックボックス６５がチェック操作されたか否か判断する。チェック操作されていない場合はＳ６１０に進み、チェック操作された場合はＳ６００に進む。Ｓ６００では、今回のショートカットによる画像の読み取り結果をサムネイル生成用に保存するよう設定する。Ｓ６００の処理後はＳ６１０に進む。
【００９５】
Ｓ６３０では、今回のショートカットによる画像の読み取り結果をサムネイル生成用に保存するよう設定されているか否か判断する。今回のショートカットによる画像の読み取り結果をサムネイル生成用に保存するよう設定されていないケースとしては、サムネイル保存設定が「保存しない」に設定されているケース、及び、更新タイミング設定値が「次回１回更新」に設定されているものの次回実行時保存フラグがクリアされているケース、が考えられる。
【００９６】
Ｓ６３０で、今回のショートカットによる画像の読み取り結果をサムネイル生成用に保存するよう設定されていない場合は、登録機能制御処理を終了する。Ｓ６３０で、今回のショートカットによる画像の読み取り結果をサムネイル生成用に保存するよう設定されている場合は、Ｓ６４０に進む。
【００９７】
Ｓ６４０では、現在設定されている保存ページ設定値を判断する。保存ページ設定値が「１ページ目指定」に設定されている場合は、Ｓ６５０で、今回のショートカット実行で
読み取られた画像のうち１ページ目の画像を保存して、Ｓ７１０に進む。
【００９８】
保存ページ設定値が「任意ページ指定」に設定されている場合は、Ｓ６６０で、今回のショートカット実行で読み取られた画像のうちユーザにより予め指定されているページの画像を保存して、Ｓ７１０に進む。
【００９９】
保存ページ設定値が「最終ページ指定」に設定されている場合は、Ｓ６７０で、今回のショートカット実行で読み取られた画像のうち最終ページの画像を保存して、Ｓ７１０に進む。
【０１００】
保存ページ設定値が「実行後に決定」に設定されている場合は、Ｓ６８０で、今回のショートカット実行で読み取られた画像のプレビュー画像をページ毎に表示させる。具体的には、図２に例示したサムネイル選択画面７０を表示させる。Ｓ６９０では、表示されている各ページの画像のうちいずれか１つの選択操作を受け付ける。そして、Ｓ７００で、Ｓ６９０で選択されたページの画像を保存して、Ｓ７１０に進む。
【０１０１】
Ｓ７１０では、保存したページの画像に対する画像加工処理を実行する。具体的には、前述の縮小処理を実行する。Ｓ７２０では、ショートカットアイコンとして仮設定されているデフォルト画像を縮小する。なお、ショートカットアイコンとして既に混合ＳＣアイコンが表示されていてデフォルト画像が縮小された状態になっている場合は、Ｓ７２０の処理は行わない。
【０１０２】
Ｓ７３０では、ショートカットアイコンを、サムネイルを含む画像、即ち混合ＳＣアイコンに更新する。具体的には、Ｓ７１０の縮小処理により生成されたサムネイルと、Ｓ７２０で縮小されたデフォルト画像とを組み合わせることで、混合ＳＣアイコンを生成し、現在のショートカットアイコンを、その生成した混合ＳＣアイコンに更新する。
【０１０３】
（１−５）実施形態の効果
以上説明した実施形態によれば、以下の（１ａ）〜（１ｆ）の効果を奏する。
（１ａ）画像の読取処理を含むショートカットが実行された場合、実際に読み取られた画像の少なくとも一部が、ショーカットボタン内のショートカットアイコンに含まれる。つまり、ショートカットアイコンとして、混合ＳＣアイコンが表示されるようになる。
【０１０４】
そのため、ユーザは、読取処理を含むショートカットを一度実行させた後は、ショートカットボタンに表示されている混合ＳＣアイコンを見ることで、そのショートカットボタンがどの機能のショートカットであるのかを知ることができるのに加えて、具体的にどのような実行条件が登録されたショートカットであるのかについても容易に知ることができる。
【０１０５】
（１ｂ）混合ＳＣアイコンに含まれるサムネイルは、読み取られた原稿の画像に対して縮小処理が施されたものである。そのため、制御部１１によるショートカットボタンの処理にかかる処理負荷を抑制できる。また、縮小処理が施されていることにより、仮にサムネイルのデータが第三者に漏れてサムネイルが拡大されたとしても、画像の内容を詳しく判読されないようにすることができる。
【０１０６】
（１ｃ）ショートカットによって複数ページの原稿を読み取らせる際、ユーザは、自身が指定した特定のページの画像をサムネイルとして指定することができる。そのため、ユーザは、ショートカットボタンの内容をよりわかりやすくすることができる。
【０１０７】
（１ｄ）また、ユーザは、サムネイルとして保存させるページの指定方法を、前述の４
種類の方法の中から任意に選択できる。具体的に、１ページ目を保存させるか、予め指定した任意のページを保存させるか、最終ページを保存させるか、ショートカット実行後に決定させるか、のいずれかを、保存ページ設定値として設定することができる。そのため、ユーザは、ショートカットボタンの内容をよりわかりやすくすることができる。
【０１０８】
（１ｅ）また、ユーザは、ショートカット実行後にサムネイルを保存させるか否かについて、予め設定しておくことができる。例えば、ショートカット実行毎にサムネイルも毎回更新させることができる。また例えば、ショートカット実行毎に、サムネイルを更新させるかどうかをユーザに判断させることもできる。
【０１０９】
（１ｆ）ショートカットボタンに混合ＳＣアイコンが表示されている場合、ユーザは、混合ＳＣアイコンを長押しすることで、混合ＳＣアイコンを拡大表示させることができる。そのため、ユーザは、混合ＳＣアイコンに含まれているサムネイルの内容を詳しく確認することができる。
【０１１０】
（１−６）特許請求の範囲の文言との対応関係
ここで、実施形態の文言と特許請求の範囲の文言との対応関係について説明する。画像処理装置１０は機能実行装置の一例に相当する。サムネイル５１ａ、５２ａ、５３ａは読取結果画像の一例に相当する。図４を用いて説明した、ショートカットアイコンを長押しする操作は、拡大操作の一例に相当し、その長押し操作によって表示される拡大ショートカットアイコン５８は、拡大画像の一例に相当する。図３の保存ページ設定画面１００に表示されている各ボタンの中から何れかを選択する操作は、ページを特定する操作一例に相当する。図４の更新タイミング設定画面１１０に表示されている各ボタンの中からいずれかを選択する操作、及び図２の右上の機能確認画面６０に表示される保存指定チェックボックス６５に対する操作は、更新有無指定操作の一例に相当する。図７のショートカット画面処理のプログラムは機能実行プログラムの一例に相当する。
【０１１１】
図６のＳ２７０の処理はページ特定受付処理の一例に相当する。図６のＳ２１０の処理は更新有無受付処理の一例に相当する。図７のＳ４１０の処理はボタン表示処理の一例に相当する。図７のＳ４７０の処理はアイコン拡大処理の一例に相当する。図８のＳ６２０の処理はショートカット処理の一例に相当する。図９のＳ７１０の処理は画像加工処理の一例に相当する。図９のＳ７３０の処理は更新処理の一例に相当する。
【０１１２】
［２．他の実施形態］
以上、本発明の実施形態について説明したが、本発明は上述の実施形態に限定されることなく、種々変形して実施することができる。
【０１１３】
（２−１）読取処理を含むショートカットが実行された場合に、読み取られた画像をサムネイル用に加工する具体的方法は、適宜決めてよい。例えば、１ページの画像全体をそのまま縮小処理するのではなく、１ページの画像のうち一部領域の画像のみを抽出し、その抽出した画像をそのまま若しくは縮小処理してサムネイルを生成してもよい。
【０１１４】
また、複数のページが読み取られた場合、何れか２ページ以上の画像からそれぞれ一部領域の画像を抽出し、それらを組み合わせたサムネイルを生成してもよい。
（２−２）デフォルト画像をサムネイルと共に混合ＳＣアイコンとして表示させる場合、デフォルト画像及びサムネイルの両者の大きさをそれぞれどのようにするか、両者それぞれ全体を表示させるかそれとも一部のみを表示させるか、両者を一部領域が重なった状態で表示させるか否か、などについては、適宜決めてよい。
【０１１５】
具体的に、上記実施形態では、サムネイルを表示させる際、デフォルト画像については
、縮小はされるものの画像全体が表示され、サムネイルについては、一部にデフォルト画像が重なって表示された。しかし、このような表示方法とは異なる表示方法を採用してもよい。
【０１１６】
例えば、デフォルト画像よりもサムネイルを前面に出して、デフォルト画像の一部領域がサムネイルに隠れるようにしてもよい。また例えば、デフォルト画像とサムネイルが全く重ならずに並んだ状態となるようにしてもよい。また例えば、デフォルト画像とサムネイル画像が一部領域において重なるものの、その重なった部分における前面側の画像が半透明で表示されることにより、重なった部分においても前面側及び背面側の双方の画像を視認可能となるようにしてもよい。
【０１１７】
（２−３）ショートカットアイコンとしてサムネイルを表示させる場合、デフォルト画像を省いてサムネイルのみを表示させてもよい。
（２−４）本発明を適用可能な機能実行装置として、上記実施形態の画像処理装置１０は一例である。原稿の画像を読み取る機能を備えた各種の機能実行装置に対して本発明を適用可能である。
【０１１８】
（２−５）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本発明の実施形態である。
【符号の説明】
【０１１９】
１０…画像処理装置、１１…制御部、１２…記憶部、１３…表示部、１４…入力部、１４ａ…タッチパネル、１５…読取部、１６…印刷部、１７…メディアＩ／Ｆ、１８…第１通信部、１９…第２通信部、３０…ショートカット画面、４１〜４３…ショートカットボタン、４４〜４６…未登録ボタン、５１，５２，５３…ショートカットアイコン、５１ａ，５２ａ，５３ａ…サムネイル、５１ｂ，５２ｂ，５３ｂ…デフォルト画像、５７…拡大表示欄、５８…拡大ショートカットアイコン、６０…機能確認画面、６３…機能イメージ画像、６４…保存確認メッセージ、６５…保存指定チェックボックス、７０…サムネイル選択画面、８０…設定メニュー画面、９０…保存方法メニュー画面、１００…保存ページ設定画面、１１０…更新タイミング設定画面。
【図１】
2018174436.tif 000003
【図２】
2018174436.tif 000004
【図３】
2018174436.tif 000005
【図４】
2018174436.tif 000006
【図５】
2018174436.tif 000007
【図６】
2018174436.tif 000008
【図７】
2018174436.tif 000009
【図８】
2018174436.tif 000010
【図９】
2018174436.tif 000011